(57)【特許請求の範囲】
【請求項１】
記録媒体を搬送し、搬送されている記録媒体に、所定の柄模様を記録するインクジェット記録装置であって、
記録媒体が載せ置かれる搬送面に形成された、記録媒体を固定するための粘着部を含み、前記粘着部に固定された状態の記録媒体を搬送する搬送機構と、
前記搬送機構によって搬送される記録媒体を、前記粘着部に対して押圧するための押圧機構と、
前記押圧機構によって押圧され、前記粘着部に固定された状態で搬送される記録媒体に、所定の柄模様を記録する記録部と、を有し、
前記押圧機構は、
記録媒体に接し、記録媒体を、前記粘着部に対して押圧する押圧部と、
前記押圧部によって記録媒体に付与される押圧力を調整するための押圧調整部と、を含み、
前記押圧調整部は、
前記押圧部を支持し、前記押圧部を前記粘着部から離間した上方位置に上昇させ、且つ、前記押圧部を前記上方位置から前記粘着部に接近した位置であって、記録媒体を押圧することができる下方位置に下降させるエアシリンダと、
前記エアシリンダで鉛直方向下向きの力を発生させる場合に前記エアシリンダに供給される空気の空気圧を調整する第一空気圧レギュレータと、
前記エアシリンダで鉛直方向上向きの力を発生させる場合に前記エアシリンダに供給される空気の空気圧を、前記エアシリンダが発生させる鉛直方向上向きの力が前記押圧部の自重未満の所定値となる状態に調整する第二空気圧レギュレータと、を含み、
前記第一空気圧レギュレータによって空気圧が調整された空気の前記エアシリンダへの供給に伴い、前記押圧部に鉛直方向下向きの力を作用させ、記録媒体に付与される押圧力を、前記押圧部の自重による押圧力より高い第一状態と、前記第二空気圧レギュレータによって空気圧が調整された空気の前記エアシリンダへの供給に伴い、前記押圧部に鉛直方向上向きで且つ前記押圧部の自重未満の所定値の力を作用させ、記録媒体に付与される押圧力を、前記押圧部の自重による押圧力より低い第二状態と、に調整する、インクジェット記録装置。
【請求項２】
前記搬送機構は、
前記記録部より搬送方向上流側に設けられる第一ベルトローラと、
前記記録部より搬送方向下流側に設けられる第二ベルトローラと、
前記搬送面を形成し、前記搬送面と反対側の面である裏面が、前記第一ベルトローラ及び前記第二ベルトローラに接し、且つ、前記第一ベルトローラ及び前記第二ベルトローラに張架される、無端状の搬送ベルトと、を有するベルトコンベアを含み、
前記押圧機構は、前記押圧部を介した記録媒体に対する押圧力を受ける受け部を含み、
前記押圧部は、前記記録部より搬送方向上流側であって、前記搬送ベルトの裏面が前記第一ベルトローラに接しておらず、回転する前記搬送ベルトの移動方向が搬送方向となる前記搬送面に対向するように設けられ、
前記受け部は、前記搬送ベルトの裏面側であって、前記搬送ベルトを介して前記押圧部と対向するように設けられている、請求項１に記載のインクジェット記録装置。
【請求項３】
記録媒体に接し、記録媒体を、前記粘着部に対して押圧するための前記押圧部の領域の幅寸法は、前記搬送面の幅寸法より幅広に設定されている、請求項１又は請求項２に記載のインクジェット記録装置。
【請求項４】
前記インクジェット記録装置は、前記押圧調整部が前記押圧部を下降させるときの下降速度を調整するための速度調整部を有する、請求項１から請求項３の何れか１項に記載のインクジェット記録装置。
【請求項５】
前記押圧調整部は、前記エアシリンダとして、
前記押圧部を、搬送方向に直交する幅方向の第一の側において支持し、前記押圧部を前記上方位置に上昇させ、且つ、前記押圧部を前記下方位置に下降させる、第一エアシリンダと、
前記押圧部を、搬送方向に直交する幅方向の第二の側において支持し、前記押圧部を前記上方位置に上昇させ、且つ、前記押圧部を前記下方位置に下降させる、第二エアシリンダと、を含み、
前記第一エアシリンダによる前記押圧部の下降と、前記第二エアシリンダによる前記押圧部の下降と、は同期して行われる、請求項１から請求項４の何れか１項に記載のインクジェット記録装置。
【請求項６】
前記押圧調整部を制御するための制御部を有する、請求項１から請求項５の何れか１項に記載のインクジェット記録装置。
【請求項７】
所定の柄模様が記録される記録媒体が載せ置かれる搬送面に形成された、記録媒体を固定するための粘着部を含み、前記粘着部に固定された状態の記録媒体を搬送する搬送機構と、前記搬送機構によって搬送される記録媒体を、前記粘着部に対して押圧するための押圧機構と、前記押圧機構によって押圧され、前記粘着部に固定された状態で搬送される記録媒体に、所定の柄模様を記録する記録部と、を有し、前記押圧機構は、記録媒体に接し、記録媒体を、前記粘着部に対して押圧する押圧部と、前記押圧部によって記録媒体に付与される押圧力を調整するための押圧調整部と、を含み、前記押圧調整部は、前記押圧部を支持し、前記押圧部を前記粘着部から離間した上方位置に上昇させ、且つ、前記押圧部を前記上方位置から前記粘着部に接近した位置であって、記録媒体を押圧することができる下方位置に下降させるエアシリンダと、前記エアシリンダで鉛直方向下向きの力を発生させる場合に前記エアシリンダに供給される空気の空気圧を調整する第一空気圧レギュレータと、前記エアシリンダで鉛直方向上向きの力を発生させる場合に前記エアシリンダに供給される空気の空気圧を、前記エアシリンダが発生させる鉛直方向上向きの力が前記押圧部の自重未満の所定値となる状態に調整する第二空気圧レギュレータと、を含み、前記第一空気圧レギュレータによって空気圧が調整された空気の前記エアシリンダへの供給に伴い、前記押圧部に鉛直方向下向きの力を作用させ、記録媒体に付与される押圧力を、前記押圧部の自重による押圧力より高い第一状態と、前記第二空気圧レギュレータによって空気圧が調整された空気の前記エアシリンダへの供給に伴い、前記押圧部に鉛直方向上向きで且つ前記押圧部の自重未満の所定値の力を作用させ、記録媒体に付与される押圧力を、前記押圧部の自重による押圧力より低い第二状態と、に調整する、インクジェット記録装置で実行されるインクジェット記録方法であって、
前記押圧機構を動作させ、記録媒体を前記粘着部に固定する固定工程と、
前記固定工程によって前記粘着部に固定された状態の記録媒体を搬送する搬送工程と、
前記搬送工程によって搬送されている記録媒体に、所定の柄模様を記録する記録工程と、を含み、
前記固定工程は、
前記押圧調整部によって押圧力が前記第一状態に調整された場合、前記第一状態にて記録媒体を押圧し、
前記押圧調整部によって押圧力が前記第二状態に調整された場合、前記第二状態にて記録媒体を押圧する、インクジェット記録方法。
【発明の詳細な説明】
【技術分野】
【０００１】
本発明は、インクジェット記録装置及びインクジェット記録方法に関する。
【背景技術】
【０００２】
従来から、インクジェット記録に関する技術が提案されている（例えば、特許文献１、特許文献２参照）。特許文献１には、プリント媒体を導入する導入部、プリント媒体を搬送する搬送部、色数分の複数のインクジェットヘッドを有するプリント部等を有するインクジェット印刷装置が開示されている。インクジェット印刷装置では、連続するシート状の布帛が、プリント媒体とされる。プリント媒体が連続するシート状の布帛の場合、インクジェット印刷装置では、生地に適当な張力を与えるテンションコントロール装置、しわを伸ばすしわ伸ばし装置、布目を矯正する布目矯正装置、布の進行方向に対して、左右に蛇行しないように布の進行方向に対する左右方向の布位置センサを用いて、プリント媒体を所望の状態に維持し、搬送部を構成するベルトに張り付けてプリント媒体をプリント部に送る。プリント媒体のベルトへの張り付けは、接着剤（粘着剤）を、ベルトに塗布しておきニップロールによりプリント媒体に接着剤を張り付けることにより行われる。
【０００３】
特許文献２には、搬送回転体対と、インクジェットヘッドと、挟圧力調整機構と、反力推定機構と、推定部、挟圧力制御部及び回転数算出部を有する制御部とを含んでいるインクジェットプリンタが開示されている。反力推定機構、推定部及び回転数算出部は、搬送回転体対によって用紙を搬送するときに、搬送回転体対に対して搬送方向とは逆方向に働く反力を推定する反力推定手段を構成する。インクジェットプリンタでは、反力推定手段によって推定された反力が大きい程、搬送回転体対による用紙に対する挟圧力が大きくなるように、挟圧力制御部が挟圧力調整機構を制御する。
【０００４】
出願人においても、インクジェットプリント方法及び装置を提案している（例えば、特許文献３参照）。
【０００５】
この他、搬送路ベルトの上面に対し間隔を開けて上面側搬送ローラを設け、搬送路ベルトの下面と接し回転する下面側搬送ローラを設けた、シート搬送機構が提案されている（例えば、特許文献４参照）。シート搬送機構には、下面側搬送ローラを上方に加圧する加圧部と、その上限を決めるストッパが設けられている。上面側搬送ローラは、上搬送ローラ駆動モータにより、搬送路ベルトと同速で回転する。
【先行技術文献】
【特許文献】
【０００６】
【特許文献１】特開２００１−６３１６１号公報
【特許文献２】特開２００９−１０７２５１号公報
【特許文献３】特開２０１０−８３０４０号公報
【特許文献４】特開２００４−５９２４４号公報
【発明の概要】
【発明が解決しようとする課題】
【０００７】
インクジェット記録によれば、各種の記録媒体に、所定の柄模様を記録することができる。インクジェット記録では、各種の媒体が、記録媒体として採用される。例えば、布帛が採用されることもある。インクジェット記録によって、布帛に、所定の柄模様を記録する場合、布帛は、搬送機構の搬送面に形成された粘着部に対して押圧され、粘着部に固定された状態で、記録部に搬送される。布帛といっても、その種類は、他品種に及ぶ。例えば、薄手のもの、厚手のもの、毛足の短いもの、毛足の長いもの等、様々である。例えば、毛足の長いものに対して、インクジェット記録を行う場合、必要以上に押圧力が強いと、布帛表面の繊維が丸まり、及び／又は、折れ曲がり、その結果、布帛表面の状態が悪化（布帛表面の品位が低下）するおそれがある。一方、必要以上に押圧力が弱いと、布帛がしわになり、及び／又は、浮き、その結果、好適に布帛を固定できず、好適な品位の柄模様を記録できなくなるおそれがある。押圧力は、本来、布帛の種類（状態）に応じて設定される必要がある。例えば特許文献１のような、ローラでは、記録媒体に、少なくともローラ自重分の押圧力が付与されてしまう。従って、記録媒体の種類に応じ、押圧力を好適に調整することは、困難である。
【０００８】
本発明は、好適な品位の柄模様が記録された好適な状態の記録媒体とすることができる、インクジェット記録装置及びインクジェット記録方法を提供することを目的とする。
【課題を解決するための手段】
【０００９】
上記従来の課題に鑑みなされた本発明の一側面は、記録媒体を搬送し、搬送されている記録媒体に、所定の柄模様を記録するインクジェット記録装置であって、記録媒体が載せ置かれる搬送面に形成された、記録媒体を固定するための粘着部を含み、前記粘着部に固定された状態の記録媒体を搬送する搬送機構と、前記搬送機構によって搬送される記録媒体を、前記粘着部に対して押圧するための押圧機構と、前記押圧機構によって押圧され、前記粘着部に固定された状態で搬送される記録媒体に、所定の柄模様を記録する記録部と、を有し、前記押圧機構は、記録媒体に接し、記録媒体を、前記粘着部に対して押圧する押圧部と、前記押圧部によって記録媒体に付与される押圧力を調整するための押圧調整部と、を含み、前記押圧調整部は、前記押圧部を支持し、前記押圧部を前記粘着部から離間した上方位置に上昇させ、且つ、前記押圧部を前記上方位置から前記粘着部に接近した位置であって、記録媒体を押圧することができる下方位置に下降させるエアシリンダと、前記エアシリンダで鉛直方向下向きの力を発生させる場合に前記エアシリンダに供給される空気の空気圧を調整する第一空気圧レギュレータと、前記エアシリンダで鉛直方向上向きの力を発生させる場合に前記エアシリンダに供給される空気の空気圧を、前記エアシリンダが発生させる鉛直方向上向きの力が前記押圧部の自重未満の所定値となる状態に調整する第二空気圧レギュレータと、を含み、前記第一空気圧レギュレータによって空気圧が調整された空気の前記エアシリンダへの供給に伴い、前記押圧部に鉛直方向下向きの力を作用させ、記録媒体に付与される押圧力を、前記押圧部の自重による押圧力より高い第一状態と、前記第二空気圧レギュレータによって空気圧が調整された空気の前記エアシリンダへの供給に伴い、前記押圧部に鉛直方向上向きで且つ前記押圧部の自重未満の所定値の力を作用させ、記録媒体に付与される押圧力を、前記押圧部の自重による押圧力より低い第二状態と、に調整する、インクジェット記録装置である。
【００１０】
これによれば、粘着部に記録媒体を固定するために、記録媒体に付与される押圧力を、第一状態又は第二状態の何れにも調整することができる。所定の柄模様が記録される記録媒体の種類に応じて、この記録媒体に好適な押圧力を付与することが可能となり、記録媒体を、好適な状態で固定することができる。第一状態において、第一空気圧レギュレータで調整された空気圧によって、エアシリンダによってさらに付与される鉛直方向下向きの力を定めることができる。第二状態において、第二空気圧レギュレータで調整された空気圧によって、エアシリンダによって付与される鉛直方向上向きの力を定めることが可能で、記録媒体に対して付与される押圧力を調整することができる。
【００１１】
このインクジェット記録装置は、次のようにすることもできる。前記搬送機構は、前記記録部より搬送方向上流側に設けられる第一ベルトローラと、前記記録部より搬送方向下流側に設けられる第二ベルトローラと、前記搬送面を形成し、前記搬送面と反対側の面である裏面が、前記第一ベルトローラ及び前記第二ベルトローラに接し、且つ、前記第一ベルトローラ及び前記第二ベルトローラに張架される、無端状の搬送ベルトと、を有するベルトコンベアを含み、前記押圧機構は、前記押圧部を介した記録媒体に対する押圧力を受ける受け部を含み、前記押圧部は、前記記録部より搬送方向上流側であって、前記搬送ベルトの裏面が前記第一ベルトローラに接しておらず、回転する前記搬送ベルトの移動方向が搬送方向となる前記搬送面に対向するように設けられ、前記受け部は、前記搬送ベルトの裏面側であって、前記搬送ベルトを介して前記押圧部と対向するように設けられている、ようにしてもよい。
【００１２】
これによれば、固定された記録媒体を、好適な状態とすることができる。ところで、ベルトコンベアの搬送ベルトにおいて、搬送方向に対応した方向に回転される搬送ベルトの裏面が、第一ベルトローラ及び第二ベルトローラに接触し、移動方向が転換される領域は、これ以外の領域より、搬送ベルトの回転方向に対応した方向に伸びた状態となる。搬送ベルトが伸びると、搬送ベルトに形成された粘着部も同様に伸びる。搬送ベルトの裏面が、第一ベルトローラに接触している領域で、記録媒体を粘着部に固定すると、記録媒体は、伸びた状態の粘着部に固定される。固定された後、搬送ベルトが、搬送方向に対応した方向に回転すると、伸びた状態の搬送ベルトは、収縮し、これに伴い、粘着部も収縮する。この収縮に伴い、伸びた状態の粘着部に固定された記録媒体には、しわ及び／又はよれ等が発生する。インクジェット記録装置では、しわ及び／又はよれ等が発生している状態の記録媒体に、所定の柄模様が記録される。その結果、低品位の柄模様が記録された記録媒体となってしまう。上述したような構成を有するインクジェット記録装置では、前述した通り、固定された記録媒体を好適な状態とすることが可能であり、しわ及び／又はよれ等が発生していない状態の記録媒体に、所定の柄模様を記録することができる。
【００１３】
また、記録媒体に接し、記録媒体を、前記粘着部に対して押圧するための前記押圧部の領域の幅寸法は、前記搬送面の幅寸法より幅広に設定されている、ようにしてもよい。
【００１４】
これによれば、記録媒体を、粘着部に対して、好適に押圧することができる。例えば、搬送機構が、上述したようなベルトコンベアである場合において、搬送ベルトが、搬送方向に対して傾斜した状態で張架されているとする。このような状態で、搬送ベルトが回転すると、搬送面（粘着部）は、斜行又は蛇行する。押圧部の領域の幅寸法を、搬送面の幅寸法より幅広に設定する構成によれば、搬送面が斜行又は蛇行したとしても、粘着部の全幅を押圧対象とすることが可能である。
【００１５】
また、前記インクジェット記録装置は、前記押圧調整部が前記押圧部を下降させるときの下降速度を調整するための速度調整部を有する、ようにしてもよい。
【００１６】
これによれば、押圧部が記録媒体に接触する速度を、調整することができる。例えば、押圧部を記録媒体に低速で接触させ、粘着部に対する記録媒体の押圧を、ゆっくりとした好適な状態で行うことができる。記録媒体を急激に押圧した場合、所定の柄模様が記録されることとなる記録媒体表面の状態が悪化し、柄模様の品位が低下することがある。押圧部の下降速度を、記録媒体に応じた好適な状態とすれば、記録媒体の表面を、好適な状態に維持し、好適な品位の柄模様を記録することができる。
【００１７】
また、前記押圧調整部は、前記エアシリンダとして、前記押圧部を、搬送方向に直交する幅方向の第一の側において支持し、前記押圧部を前記上方位置に上昇させ、且つ、前記押圧部を前記下方位置に下降させる、第一エアシリンダと、前記押圧部を、搬送方向に直交する幅方向の第二の側において支持し、前記押圧部を前記上方位置に上昇させ、且つ、前記押圧部を前記下方位置に下降させる、第二エアシリンダと、を含み、前記第一エアシリンダによる前記押圧部の下降と、前記第二エアシリンダによる前記押圧部の下降と、は同期して行われる、ようにしてもよい。
【００１８】
これによれば、押圧部が記録媒体に接触するタイミングを、幅方向において同様のタイミングとすることができる。ところで、第一エアシリンダによる押圧部の下降と、第二エアシリンダによる押圧部の下降とが、同期していない場合、記録媒体は、先に押圧部が接触した側の方向によれる。その結果、粘着部に固定された記録媒体には、しわ、伸び及び／又は縮みが発生する。しわ、伸び及び／又は縮みの発生は、記録媒体が、柔軟である場合に顕著となる。上述したように、押圧部が記録媒体に接触するタイミングを、幅方向において同様のタイミングとすることで、前述のような、よれの発生を防止し、粘着部に固定された記録媒体を、好適な品位の柄模様を記録することが可能な状態とすることができる。
【００１９】
また、前記押圧調整部を制御するための制御部を有する、ようにしてもよい。これによれば、安定して、記録媒体を、粘着部に対して押圧し、固定することができる。そのため、粘着部に固定された記録媒体を、しわ、伸び及び／又は縮みが発生していない、好適な品位の柄模様を記録することが可能な状態とすることができる。
【００２０】
また、所定の柄模様が記録される記録媒体が載せ置かれる搬送面に形成された、記録媒体を固定するための粘着部を含み、前記粘着部に固定された状態の記録媒体を搬送する搬送機構と、前記搬送機構によって搬送される記録媒体を、前記粘着部に対して押圧するための押圧機構と、前記押圧機構によって押圧され、前記粘着部に固定された状態で搬送される記録媒体に、所定の柄模様を記録する記録部と、を有し、前記押圧機構は、記録媒体に接し、記録媒体を、前記粘着部に対して押圧する押圧部と、前記押圧部によって記録媒体に付与される押圧力を調整するための押圧調整部と、を含み、前記押圧調整部は、前記押圧部を支持し、前記押圧部を前記粘着部から離間した上方位置に上昇させ、且つ、前記押圧部を前記上方位置から前記粘着部に接近した位置であって、記録媒体を押圧することができる下方位置に下降させるエアシリンダと、前記エアシリンダで鉛直方向下向きの力を発生させる場合に前記エアシリンダに供給される空気の空気圧を調整する第一空気圧レギュレータと、前記エアシリンダで鉛直方向上向きの力を発生させる場合に前記エアシリンダに供給される空気の空気圧を、前記エアシリンダが発生させる鉛直方向上向きの力が前記押圧部の自重未満の所定値となる状態に調整する第二空気圧レギュレータと、を含み、前記第一空気圧レギュレータによって空気圧が調整された空気の前記エアシリンダへの供給に伴い、前記押圧部に鉛直方向下向きの力を作用させ、記録媒体に付与される押圧力を、前記押圧部の自重による押圧力より高い第一状態と、前記第二空気圧レギュレータによって空気圧が調整された空気の前記エアシリンダへの供給に伴い、前記押圧部に鉛直方向上向きで且つ前記押圧部の自重未満の所定値の力を作用させ、記録媒体に付与される押圧力を、前記押圧部の自重による押圧力より低い第二状態と、に調整する、インクジェット記録装置で実行されるインクジェット記録方法であって、前記押圧機構を動作させ、記録媒体を前記粘着部に固定する固定工程と、前記固定工程によって前記粘着部に固定された状態の記録媒体を搬送する搬送工程と、前記搬送工程によって搬送されている記録媒体に、所定の柄模様を記録する記録工程と、を含み、前記固定工程は、前記押圧調整部によって押圧力が前記第一状態に調整された場合、前記第一状態にて記録媒体を押圧し、前記押圧調整部によって押圧力が前記第二状態に調整された場合、前記第二状態にて記録媒体を押圧する、インクジェット記録方法である。
【００２１】
これによれば、粘着部に記録媒体を固定するために、記録媒体に付与される押圧力を、第一状態又は第二状態の何れにも調整することができる。所定の柄模様が記録される記録媒体の種類に応じて、この記録媒体に好適な押圧力を付与することが可能となり、記録媒体を、好適な状態で固定することができる。第一状態において、第一空気圧レギュレータで調整された空気圧によって、エアシリンダによってさらに付与される鉛直方向下向きの力を定めることができる。第二状態において、第二空気圧レギュレータで調整された空気圧によって、エアシリンダによって付与される鉛直方向上向きの力を定めることが可能で、記録媒体に対して付与される押圧力を調整することができる。
【００２２】
このインクジェット記録方法は、上述したインクジェット記録装置と同様、上述したような他の構成を有するインクジェット記録装置で実行される方法として特定することもできる。この場合、他の構成を有するインクジェット記録装置と同様の機能を奏することができる。
【発明の効果】
【００２３】
本発明によれば、好適な品位の柄模様が記録された好適な状態の記録媒体とすることができる、インクジェット記録装置及びインクジェット記録方法を得ることができる。
【図面の簡単な説明】
【００２４】
【図１】インクジェット記録装置の概略構成を示す側面図である。
【図２】押圧調整部の概略構成の一例を説明する図であって、インクジェット記録装置が待機状態となる場合を説明する図である。
【図３】押圧ローラに鉛直方向下向きの力を作用させ、布帛に付与される押圧力が、押圧ローラの自重による押圧力より高い第一状態とされた押圧動作を説明する図である。
【図４】押圧ローラに鉛直方向上向きの力を作用させ、布帛に付与される押圧力が、押圧ローラの自重による押圧力より低い第二状態とされた押圧動作を説明する図である。
【発明を実施するための形態】
【００２５】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００２６】
＜インクジェット記録装置＞
インクジェット記録装置１は、図１に示すように、送出機構２０と、搬送機構３０と、押圧機構５０と、記録部６０と、剥離ローラ７０と、巻取機構８０とを有する。インクジェット記録装置１では、これら各構成等が動作し、記録媒体としての布帛３に、所定の柄模様（画像）が記録される。布帛３は、所定の幅を有する長尺状である。布帛３としては、例えば、カーシート等の目付が重い布帛、しわがより易い綿、麻、シルク等の天然素材の布帛、皮革等が、例示される。以下、このような布帛３を、第一種布帛ともいう。また、布帛３としては、例えば、ウレタン繊維等の伸び縮みし易い布帛、目の粗いメッシュ状の布帛、毛足の長い立毛布帛等が、例示される。以下、このような布帛３を、第二種布帛ともいう。
【００２７】
送出機構２０は、供給ローラ２２と、複数の導入ローラ２４と、センタリングローラ２６と、位置検知センサ２８とを含む。供給ローラ２２には、コイル状に巻き取られた長尺状の布帛３がセットされる。供給ローラ２２は、セットされた布帛３を、連続して繰り出す。供給ローラ２２から繰り出された布帛３は、導入ローラ２４を介して、センタリングローラ２６の側に搬送される。図１では、３個の導入ローラ２４が図示されている。図１における導入ローラ２４の個数は、例示であって、その数は、適宜設定される。
【００２８】
センタリングローラ２６は、供給ローラ２２から繰り出された布帛３の幅方向の位置を、調整する。位置検知センサ２８は、センタリングローラ２６の近傍に設けられている。位置検知センサ２８は、センタリングローラ２６を通過している布帛３の少なくとも一方の側辺部を検知する。インクジェット記録装置１では、位置検知センサ２８からの検知信号に従い、センタリングローラ２６を通過し、幅方向の位置が調整された布帛３の側辺部が、所定の位置にあるかが監視される。センタリングローラ２６を通過した布帛３は、さらに、導入ローラ２４と同様の構成の所定のローラを介して、搬送機構３０の側に搬送される。
【００２９】
搬送機構３０は、所謂、ベルトコンベアである。搬送機構３０は、上述したようにして搬送される布帛３を、送出機構２０から巻取機構８０の側に向かう搬送方向に搬送する。搬送機構３０によって搬送される布帛３は、記録部６０を通過する。搬送機構３０は、一対の第一ベルトローラ３２及び第二ベルトローラ３４と、搬送ベルト３６とを含む。第一ベルトローラ３２は、記録部６０より搬送方向上流側に設けられている。第二ベルトローラ３４は、記録部６０より搬送方向下流側に設けられている。搬送ベルト３６は、環状とされた無端ベルトであって、第一ベルトローラ３２及び第二ベルトローラ３４に張架されている。例えば、搬送方向下流側の第二ベルトローラ３４が、不図示の駆動部の駆動力によって、搬送方向に対応した方向に回転することで、搬送ベルト３６が、これと同一方向に回転する。図１に基づけば、第二ベルトローラ３４は、反時計回り（第二ベルトローラ３４内の矢印参照）に回転する。このとき、搬送方向上流側の第一ベルトローラ３２は、従動して回転する。搬送機構３０において、布帛３の搬送方向への搬送は、このようにして実現される（搬送工程）。
【００３０】
搬送ベルト３６の表面である搬送面３８には、図２〜図４に示すように、粘着部４０が形成されている。従って、布帛３は、搬送機構３０によって搬送される状態において、搬送面３８に形成された粘着部４０に固定される。粘着部４０は、例えば、搬送面３８の幅Ｗ２以下の幅を有した帯状の粘着テープであって、搬送面３８の外周を全周にわたって覆うような状態で、搬送面３８に固定（粘着）されている。搬送面３８に設けられた帯状の粘着テープによる粘着部４０の両端は、段差ができないよう、突き合わせた状態とされている。
【００３１】
押圧機構５０は、上述したように搬送機構３０の側に搬送され、搬送機構３０によって搬送されることとなる布帛３を、搬送面３８に形成された粘着部４０に固定する。押圧機構５０は、押圧ローラ５２と、押圧調整部５４と、カウンタローラ５８とを含む。押圧ローラ５２は、搬送機構３０の上方に設けられている。押圧ローラ５２の外周面は、図１に示すポイントＭより搬送方向下流側の位置において、搬送面３８、詳細には、粘着部４０の粘着面に対向する。ポイントＭは、記録部６０より搬送方向上流側の位置であって、搬送方向上流側において、搬送ベルト３６の移動方向が、搬送方向に一致するように転換された後、第一ベルトローラ３２の外周面と、搬送面３８とは反対側の面である搬送ベルト３６の裏面とが非接触状態となる位置である。押圧ローラ５２は、搬送機構３０によって搬送されることとなる布帛３を、搬送面３８の粘着部４０に押圧する。即ち、押圧ローラ５２は、押圧部としての機能を有する。押圧ローラ５２は、回転自在な状態で押圧調整部５４に支持される。押圧ローラ５２は、布帛３の搬送方向への搬送に従動して回転する。図１に基づけば、押圧ローラ５２は、時計回りに回転する。
【００３２】
押圧調整部５４は、鉛直方向において、押圧ローラ５２が存在する位置を移動させ、押圧ローラ５２が布帛３を押圧する押圧力を調整するための構成である。押圧調整部５４の具体的な構成については、後述する。カウンタローラ５８は、搬送ベルト３６の裏面側であって、搬送ベルト３６を介して押圧ローラ５２に対向するように設けられている。カウンタローラ５８は、搬送ベルト３６の回転に従動して回転する。図１に基づけば、カウンタローラ５８は、反時計回りに回転する。カウンタローラ５８は、押圧ローラ５２によって布帛３に付与される押圧力を受ける。即ち、カウンタローラ５８は、受け部としての機能を有する。搬送ベルト３６及び布帛３は、押圧ローラ５２とカウンタローラ５８との間を通過する。通過する際、布帛３は、押圧ローラ５２によって、搬送面３８の側に押圧される。これによって、布帛３は、粘着部４０に固定される（固定工程）。
【００３３】
記録部６０は、搬送機構３０の上方で、押圧機構５０によって粘着部４０に固定された状態で、搬送機構３０にて搬送される布帛３に対して、所定の柄模様を記録する。記録部６０は、複数の記録ヘッドを含む。例えば、所定の柄模様の記録に、ブラック、シアン、マゼンタ及びイエローの各インクが用いられるとする。この場合、記録部６０は、ブラック用の記録ヘッドと、シアン用の記録ヘッドと、マゼンタ用の記録ヘッドと、イエロー用の記録ヘッドとを含む。各色用の記録ヘッドには、それぞれ、対応するインクを吐出するノズルが、搬送面３８に対向するように形成されている。所定の柄模様の記録には、各種のインクが用いられる。例えば、着色料及び添加剤を含有し、水を媒体とする水系インクが用いられる。インクに用いる着色料としては、例えば、反応染料、酸性染料、直接染料、分散染料等の染料が例示される。着色料として、顔料を用いることもできる。インクには、必要に応じて分散剤、消泡剤、浸透剤、濃染剤、ｐＨ調整剤等を、添加してもよい。
【００３４】
インクジェット記録装置１が、ライン型のインクジェット記録装置である場合、記録部６０において、各色用の記録ヘッドは、搬送方向に隣り合った状態で配列されて設けられている。配列順序は、適宜設定される。ライン型のインクジェット記録装置１において、記録部６０は、布帛３の幅方向に、布帛３を横断するように設けられている。記録部６０を構成する各色用の記録ヘッドにおいて、ノズルは、搬送方向に直交する直交方向に複数個配列された状態で、ノズル列を形成する。直交方向は、布帛３の幅方向に対応する。ノズル列は、各色用の記録ヘッドそれぞれに、複数列形成されている。所定の柄模様の記録（記録工程）は、布帛３の記録部６０の通過に合わせ、各色用の記録ヘッドの各ノズルから、それぞれの色のインクを吐出して行われる。
【００３５】
インクジェット記録装置１が、シリアル型のインクジェット記録装置である場合、インクジェット記録装置１は、記録部６０を、直交方向に往復移動させるための駆動機構を有する。所定の柄模様の記録（記録工程）は、駆動機構によって記録部６０を往復移動させると共に、布帛３を搬送方向に、間欠搬送させながら、各色用の記録ヘッドの各ノズルから、それぞれの色のインクを吐出して行われる。
【００３６】
剥離ローラ７０は、図１に示すように、搬送方向において搬送機構３０より下流側で、鉛直方向において搬送機構３０より高い位置に設けられている。剥離ローラ７０は、不図示の駆動部の駆動力によって、搬送方向に対応した方向に回転する。図１に基づけば、剥離ローラ７０は、反時計回り（剥離ローラ７０内の矢印参照）に回転する。剥離ローラ７０は、搬送ベルト３６の回転に対応して回転する。布帛３に接する剥離ローラ７０の外周面は、布帛３との間で所定の摩擦力が発生するような状態をなしている。剥離ローラ７０が回転すると、搬送機構３０によって搬送されている布帛３は、剥離ローラ７０の側に引っ張られる。これによって、所定の柄模様が記録された状態で搬送されている布帛３は、記録部６０を通過した所定の位置で、粘着部４０から剥離される。
【００３７】
粘着部４０から剥離され、剥離ローラ７０を通過した布帛３は、さらに、導入ローラ２４と同様の構成の所定のローラを介して、巻取機構８０の側に搬送される。剥離ローラ７０と巻取機構８０との間に設けられる、前述の所定のローラの数は、適宜設定される。巻取機構８０は、所定の柄模様が記録され、所定のローラを介して搬送される布帛３を順次巻き取る。巻き取られた布帛３は、その後、インクジェット記録装置１による工程の次の工程である、例えば発色工程に供給される。発色工程では、公知の発色処理が行われ、記録された所定の柄模様が、布帛３に固着される。
【００３８】
インクジェット記録装置１は、接続インターフェース（不図示）を有する。接続インターフェースは、通信ケーブルを接続するための接続口を備え、同じく通信ケーブルが接続された外部装置（不図示）との間で、データ通信を行う。外部装置としては、パーソナルコンピュータ等が例示される。インクジェット記録装置１で記録される所定の柄模様を表す柄模様データは、外部装置から、接続インターフェースを介して、インクジェット記録装置１に入力される。
【００３９】
この他、インクジェット記録装置１は、制御部９０を有する。制御部９０は、インクジェット記録装置１において実行される各種の動作及び処理を制御する。制御部９０は、例えば、図２〜図４に基づき後述する各動作を制御する。制御部９０は、外部装置から接続インターフェースを介してインクジェット記録装置１に入力された柄模様データを処理する。続けて、制御部９０は、処理済みの柄模様データに従い、各色用の記録ヘッドの各ノズルから、それぞれの色インクが吐出されるよう制御する。これによって、粘着部４０に固定された状態の布帛３には、所定の柄模様が記録される。制御部９０は、送出機構２０、搬送機構３０、剥離ローラ７０及び巻取機構８０を、それぞれ制御する。これによって、これら各構成において、上述したような、布帛３の供給、搬送、剥離及び巻き取りの各動作（各工程）が行われる。
【００４０】
＜押圧調整部＞
押圧調整部５４は、図２に示すように、シリンダ５４２，５４４と、電磁弁５５４，５５６，５５８と、空気圧レギュレータ５６０，５６２とを含む。これら各構成は、配管５６４によって接続されている。図２におけるハッチングは、断面を示すものである。
【００４１】
インクジェット記録装置１において、シリンダ５４２，５４４は、図２に示すように、ロッド５４６の突出方向が、鉛直方向下側となるようにして、取り付けられている。シリンダ５４２は、搬送方向（図１参照）に直交する幅方向の第一の側において、押圧ローラ５２を回転自在に支持する。シリンダ５４４は、幅方向の第二の側において、押圧ローラ５２を回転自在に支持する。押圧ローラ５２は、シリンダ５４２，５４４によって支持された状態において、水平な状態とされる。図２から明らかな通り、布帛３を、粘着部４０に対して押圧するための押圧ローラ５２の領域の幅Ｗ１は、搬送面３８の幅Ｗ２より幅広に設定されている。布帛３に対する押圧力を受けるカウンタローラ５８の領域の幅Ｗ３は、押圧ローラ５２の領域の幅Ｗ１と同程度又は幅Ｗ１以上とされる。
【００４２】
シリンダ５４２，５４４は、複動タイプのエアシリンダであって、同一の構成を有する。電磁弁５５４，５５６，５５８は、電磁式の三方弁であって、同一の構成を有する。電磁弁５５４，５５６，５５８は、それぞれ、各ポートを開放又は遮断することで、配管５６４の空気の流れを切り替える。空気圧レギュレータ５６０，５６２は、圧縮空気源５６６から供給される空気（圧縮空気）の圧力を調整するレギュレータである。
【００４３】
シリンダ５４２，５４４には、それぞれ、圧縮空気源５６６の元圧状態の空気、又は、空気圧レギュレータ５６０，５６２で空気圧が調整された空気が、電磁弁５５４，５５６，５５８と、配管５６４とによって形成された流路を通り、供給される。空気の供給に伴い、シリンダ５４２，５４４の内部の空気が、電磁弁５５４，５５６，５５８と、配管５６４とによって形成された流路を通り、排出される。このような空気の供給及び排出に伴い、シリンダ５４２，５４４では、それぞれ、ロッド５４６が伸縮する。シリンダ５４２，５４４の各ロッド５４６の伸縮に対応し、押圧ローラ５２は、鉛直方向に移動（昇降）する。空気の吸排気は、シリンダ５４２，５４４のそれぞれで、同期して行われる。そのため、押圧ローラ５２の鉛直方向の移動は、押圧ローラ５２が水平に維持された状態で行われる。
【００４４】
例えば、図２に示すような状態に、電磁弁５５４，５５６，５５８のそれぞれにおける各ポートが、切り替えられたとする。即ち、電磁弁５５４では、空気圧レギュレータ５６０と接続されたポートが遮断される。電磁弁５５４において、このポートが遮断されると、空気圧レギュレータ５６０で空気圧が調整された空気は、電磁弁５５４を介して、シリンダ５４２，５４４の各空気室５５２に供給されない。電磁弁５５４では、前述の遮断されるポート以外の２つのポートは、開放される。電磁弁５５６では、空気圧レギュレータ５６２と接続されたポートが遮断される。電磁弁５５６において、このポートが遮断されると、空気圧レギュレータ５６２で空気圧が調整された空気は、電磁弁５５６を介して、シリンダ５４２，５４４の各空気室５５０に供給されない。電磁弁５５８では、大気側に接続されたポートが遮断される。電磁弁５５６，５５８において、前述の遮断されるポート以外のポートは、開放される。
【００４５】
電磁弁５５４，５５６，５５８が、このような状態とされると、シリンダ５４２，５４４には、鉛直方向下側となる各空気室５５０に、圧縮空気源５６６の元圧状態の空気が供給される。シリンダ５４２，５４４の各空気室５５０への空気の供給に伴い、シリンダ５４２，５４４では、ピストン５４８が、それぞれ、供給される空気の空気圧に対応して、鉛直方向上向きに加圧され、上昇する。シリンダ５４２，５４４の各ピストン５４８が上昇すると、鉛直方向上側となる各空気室５５２の容積は、減少し、各空気室５５２からは、ここに存在していた空気が排出される。シリンダ５４２，５４４の各空気室５５２から排出された空気は、配管５６４を通過し、開放状態の電磁弁５５４のポートから、大気中に排出（放出）される。これによって、シリンダ５４２，５４４の各ピストン５４８に連結されているロッド５４６は、それぞれ、同期して、鉛直方向上側に縮み、押圧ローラ５２が上昇する。シリンダ５４２，５４４の各ロッド５４６が、上昇端として予め定めた位置まで縮むと、インクジェット記録装置１は、押圧ローラ５２が待機位置とされた位置に配置された待機状態となる。
【００４６】
一方、シリンダ５４２，５４４において、電磁弁５５４，５５６，５５８が、例えば、後述する図３に示すような状態に切り替えられると、シリンダ５４２，５４４では、ピストン５４８が、それぞれ、下降する。シリンダ５４２，５４４の各ピストン５４８が下降すると、各ピストン５４８に連結されているロッド５４６は、それぞれ、同期して、鉛直方向下側に伸び、押圧ローラ５２が下降する。シリンダ５４２，５４４の各ロッド５４６が、押圧ローラ５２と布帛３とが接触した状態より伸びると、布帛３は、粘着部４０に押圧された状態となる。以下、布帛３に対する押圧動作について、説明する。
【００４７】
＜押圧動作＞
粘着部４０に布帛３を固定するための固定工程において、インクジェット記録装置１で実行される押圧動作について、図３及び図４を参照して説明する。図３及び図４におけるハッチングは、断面を示すものである。押圧動作において、押圧調整部５４は、押圧ローラ５２に鉛直方向下向きの力を作用させ、布帛３に付与される押圧力を、押圧ローラ５２の自重による押圧力より高い第一状態とする。また、押圧調整部５４は、押圧ローラ５２に鉛直方向上向きの力を作用させ、布帛３に付与される押圧力を、押圧ローラ５２の自重による押圧力より低い第二状態とする。押圧ローラ５２の自重による押圧力は、鉛直方向下向きの力である。
【００４８】
先ず、図３を参照して、第一状態で行われる押圧動作について、説明する。待機状態にあるインクジェット記録装置１において、第一状態での押圧動作が行われる場合、電磁弁５５４，５５６，５５８のそれぞれにおける各ポートは、次のような状態に切り替えられる。即ち、電磁弁５５４では、大気側に接続されたポートが遮断され、これ以外のポートは、開放される。電磁弁５５６，５５８では、シリンダ５４２，５４４の各空気室５５０に空気が供給されない状態となるよう、何れかのポートが遮断される。例えば、図３に示すように、電磁弁５５８の各ポートのうち、電磁弁５５６に接続されたポートが遮断される。電磁弁５５８では、前述の遮断されるポート以外の２つのポートは、開放される。電磁弁５５６において、各ポートは、どのような状態であってもよい。
【００４９】
電磁弁５５４，５５６，５５８が、このような状態とされると、シリンダ５４２，５４４の各空気室５５２には、空気圧レギュレータ５６０で空気圧が調整された空気が供給される。シリンダ５４２，５４４の各空気室５５２への空気の供給に伴い、シリンダ５４２，５４４では、ピストン５４８が、それぞれ、供給される空気の空気圧に対応して、鉛直方向下向きに加圧され、下降する。各ピストン５４８が下降すると、シリンダ５４２，５４４の各空気室５５０の容積は、減少し、各空気室５５０からは、ここに存在していた空気が排出される。シリンダ５４２，５４４の各空気室５５０から排出された空気は、配管５６４を通過し、開放状態の電磁弁５５８のポートから、大気中に排出（放出）される。
【００５０】
これによって、シリンダ５４２，５４４の各ピストン５４８に連結されているロッド５４６は、それぞれ、同期して、鉛直方向下側に伸び、押圧ローラ５２が下降する。待機状態において、布帛３と押圧ローラ５２との間に形成された隙間Ｇ（図２参照）だけ、押圧ローラ５２が下降すると、押圧ローラ５２は、布帛３に接触する。ただし、カウンタローラ５８によって、押圧ローラ５２の下降は規制されるため、押圧ローラ５２の下降は、布帛３に接触した後、布帛３が所定量だけ潰れた位置で、停止する。
【００５１】
このような状態において、電磁弁５５４，５５６，５５８のそれぞれにおける各ポートは、継続して、図３に示すような状態とされる。そのため、各空気室５５２の内部圧力は、空気圧レギュレータ５６０で調整された空気圧まで上昇する。従って、押圧ローラ５２には、空気圧レギュレータ５６０で調整された空気圧に対応する力が、鉛直方向下向きに作用する。即ち、布帛３には、押圧ローラ５２の自重による押圧力に加え、前述のようにして押圧ローラ５２に作用する鉛直方向下向きの力が、押圧力として付与される。
【００５２】
第一状態において、シリンダ５４２，５４４によってさらに付与される鉛直方向下向きの力は、空気圧レギュレータ５６０で調整された空気圧によって定まる。具体的に、第一状態において、さらに付与される鉛直方向下向きの力は、ピストン５４８の面積と、空気圧レギュレータ５６０によって調整される空気圧との積の２倍（シリンダ５４２，５４４それぞれによる力を合計）となる。布帛３を、好適な状態で粘着部４０に固定し、且つ、記録後の布帛３を好適な状態とする、好適な押圧力は、例えば、布帛３の種類に応じて異なる。布帛３の種類によっては、布帛３の種類に応じた好適な押圧力が、押圧ローラ５２の自重による押圧力より大きい場合がある。空気圧レギュレータ５６０は、布帛３の種類に応じて、不足する鉛直方向下向きの力を、シリンダ５４２，５４４で発生させることができる空気圧に設定される。圧縮空気源５６６から供給される元圧状態の空気は、空気圧レギュレータ５６０に設定された空気圧に調整される。第一状態による押圧動作の対象となる布帛３としては、例えば、上述した第一種布帛が例示される。
【００５３】
空気圧レギュレータ５６０で調整される空気圧は、手動又は自動で設定される。自動で設定される場合について一例を示すと、ユーザは、インクジェット記録装置１に、布帛３の種類を入力する。制御部９０は、布帛３の種類と、空気圧レギュレータ５６０の空気圧とが対応付けられたデータベースから、入力された布帛３の種類に従い、この布帛３に対応付けられた空気圧を取得する。続けて、制御部９０は、取得された空気圧を、空気圧レギュレータ５６０に設定するための制御を実行する。
【００５４】
次に、図４を参照して、第二状態で行われる押圧動作について、説明する。待機状態にあるインクジェット記録装置１において、第二状態での押圧動作が行われる場合、電磁弁５５４，５５６，５５８のそれぞれにおける各ポートは、例えば、図３に示すような状態に切り替えられる。その後、図４に示す状態に、再度、切り替えられる。電磁弁５５４，５５６，５５８のそれぞれにおける各ポートが、図３に示すような状態において、押圧ローラ５２は、上述したように、下降する。これに関する説明は、上述した通りであるため、省略する。押圧ローラ５２が、布帛３と押圧ローラ５２との間に形成された隙間Ｇ（図２参照）だけ下降したタイミングで、電磁弁５５４，５５６，５５８のそれぞれにおける各ポートは、図４に示す状態に切り替えられる。
【００５５】
図４に示す状態において、電磁弁５５４では、各ポートが、図２と同様な状態とされる。これに関する説明は、上述した通りであるため、省略する。電磁弁５５６では、圧縮空気源５６６に直接接続されたポートが遮断される。電磁弁５５６において、このポートが遮断されると、圧縮空気源５６６の元圧状態の空気は、電磁弁５５６を介して、シリンダ５４２，５４４の各空気室５５０に供給されない。電磁弁５５８では、大気側に接続されたポートが遮断される。電磁弁５５６，５５８において、前述の遮断されるポート以外のポートは、開放される。
【００５６】
電磁弁５５４，５５６，５５８が、このような状態とされると、シリンダ５４２，５４４の各空気室５５０には、空気圧レギュレータ５６２で空気圧が調整された空気が供給される。そのため、各空気室５５０の内部圧力は、少なくとも、空気圧レギュレータ５６２で調整された空気圧まで上昇する。シリンダ５４２，５４４の各ピストン５４８は、それぞれ、供給される空気の空気圧に対応して、鉛直方向上向きに加圧される。従って、押圧ローラ５２には、空気圧レギュレータ５６２で調整された空気圧に対応する力が、鉛直方向上向きに作用する。鉛直方向上向きの力は、押圧ローラ５２を上昇させる方向の力であって、押圧ローラ５２の自重による押圧力と反対方向の力である。即ち、布帛３には、押圧ローラ５２の自重による押圧力から、シリンダ５４２，５４４による鉛直方向上向きの力を、差し引いた大きさの押圧力が付与される。
【００５７】
第二状態において、シリンダ５４２，５４４によって付与される鉛直方向上向きの力は、空気圧レギュレータ５６２で調整された空気圧によって定まる。具体的に、第二状態において、押圧ローラ５２の自重による押圧力に抗する鉛直方向上向きの力は、ピストン５４８の面積と、空気圧レギュレータ５６２によって調整される空気圧との積の２倍（シリンダ５４２，５４４それぞれによる力を合計）となる。布帛３を、好適な状態で粘着部４０に固定し、且つ、記録後の布帛３を好適な状態とするための押圧力は、上述した通り、布帛３の種類に応じて異なる。布帛３の種類によっては、布帛３の種類に応じた好適な押圧力が、押圧ローラ５２の自重による押圧力より小さい場合がある。空気圧レギュレータ５６２は、布帛３の種類等に応じて、押圧ローラ５２の自重による押圧力において過分となる力に抗する鉛直方向上向きの力を、シリンダ５４２，５４４で発生させることができる空気圧に設定される。この場合、シリンダ５４２，５４４で発生させる鉛直方向上向きの力は、押圧ローラ５２の自重未満となる。
【００５８】
第二状態において、布帛３に対して付与される押圧力は、空気圧レギュレータ５６２による空気圧を適宜設定することにより、調整することができる。空気圧レギュレータ５６２で調整される空気圧は、上述した通り、押圧ローラ５２に作用する鉛直方向上向きの力が、押圧ローラ５２の自重未満となるような大きさである。そのため、第二状態において、布帛３に付与される押圧力は、限りなく０に等しい程度（＞０）にまで、調整することができる。換言すれば、布帛３に押圧ローラ５２が触れるか触れない程度にまで、調整することができる。第二状態による押圧動作の対象となる布帛３としては、例えば、上述した第二種布帛が例示される。
【００５９】
シリンダ５４２，５４４の各空気室５５２は、大気側に接続された電磁弁５５４のポートを介して、大気に連通されている。従って、シリンダ５４２，５４４の各空気室５５０への空気の供給に伴い、各空気室５５０の内部圧力が、空気圧レギュレータ５６２で調整された空気圧へと上昇した場合においても、各空気室５５２の内部圧力は、大気圧である。
【００６０】
空気圧レギュレータ５６２で調整される空気圧は、手動又は自動で設定される。自動で設定される場合について一例を示すと、ユーザは、インクジェット記録装置１に、布帛３の種類を入力する。制御部９０は、布帛３の種類と、空気圧レギュレータ５６２の空気圧とが対応付けられたデータベースから、入力された布帛３の種類に従い、この布帛３に対応付けられた空気圧を取得する。続けて、制御部９０は、取得された空気圧を、空気圧レギュレータ５６２に設定するための制御を実行する。空気圧レギュレータ５６０による空気圧の設定も自動で行われる場合、データベースは、布帛３の種類と、空気圧レギュレータ５６０，５６２それぞれの空気圧とを対応付けた構造としてもよい。
【００６１】
＜本実施形態による効果＞
本実施形態によれば、次のような効果を得ることができる。
【００６２】
（１）布帛３を、粘着部４０に対して押圧する際、布帛３の種類に応じて、押圧力を好適に調整し、好適な品位の柄模様を記録することが可能な状態とすることができる。そのため、好適な品位の柄模様が記録された好適な状態の記録媒体を製造することができる。
【００６３】
（２）押圧機構５０を設ける位置に関し、本実施形態では、押圧ローラ５２の外周面が、ポイントＭより搬送方向下流側の位置で、搬送面３８に対向するようにし、この位置で押圧することとしている。この点について、第一ベルトローラ３２及び第二ベルトローラ３４の外周面と、搬送ベルト３６の裏面とが接触し、且つ、搬送ベルト３６の移動方向が転換される領域では、搬送ベルト３６は、これ以外の領域より、搬送ベルト３６が回転する方向に伸びた状態となる。搬送ベルト３６が伸びると、搬送ベルト３６に粘着された粘着部４０も同様に伸びる。このとき、粘着部４０となる粘着テープの両端の間は、隙間が生じた状態となる。従って、ポイントＭより搬送方向上流側で布帛３を粘着部４０に固定すると、ポイントＭより搬送方向下流側で、搬送ベルト３６と粘着部４０が収縮し、前述したような伸びが発生していない状態となった場合、布帛３にしわ等が発生することがあった。また、隙間が生じていた部分では、隙間がなくなることで、布帛３に浮き等が発生することがあった。
【００６４】
本実施形態では、上述したような位置に押圧機構５０を設けているため、粘着部４０に固定された布帛３に、しわ及び／又は浮き等が発生することを防止することができる。粘着部４０は、粘着テープによる構成に換えて、搬送面３８に、のり剤等を塗布し、塗布されたのり剤等によって粘着部４０を形成し、布帛３を固定するといった方法も考えられる。しかし、のり剤を用いる場合であっても、搬送ベルト３６の伸びに起因し、のり剤にひび割れ等が生じることがある。そのため、搬送ベルト３６が回転する方向に伸びた状態では、このひび割れの幅が広がることとなるため、上記同様の問題が生じる。
【００６５】
＜変形例＞
本実施形態は、次のようにすることもできる。このような構成によっても、上述したような効果を得ることができる。
【００６６】
（１）上記では、所定の柄模様が記録される記録媒体が、長尺状の布帛３である場合を例に説明した。この他、記録媒体は、短冊状の布帛であってもよい。この場合、インクジェット記録装置１では、送出機構２０と、剥離ローラ７０と、巻取機構８０とが、省略される。短冊状の布帛は、搬送機構３０において、搬送方向上流側の端部において、搬送面３８に載せ置かれ、上記同様、押圧機構５０で押圧されて、粘着部４０に固定される。その後、記録部６０を通過した所定の位置で、粘着部４０から剥離される。記録媒体は、布帛以外の媒体であってもよい。
【００６７】
（２）上記では、押圧調整部５４を、シリンダ５４２，５４４とし、圧縮空気を利用した構成を例に説明した。押圧調整部５４は、押圧ローラ５２を昇降させ、所定の押圧力を布帛３に対して付与することが可能な構成であれば、各種の構成を採用することができる。例えば、電動モータを用いて、押圧調整部５４を構成するようにしてもよい。この場合、インクジェット記録装置１では、制御部９０によって、電動モータの回転が制御され、押圧ローラ５２の昇降と、押圧ローラ５２による押圧力とが制御される。電動モータが用いられる場合についても、上記同様、押圧ローラ５２の両端側において、電動モータは、同期された状態で駆動される。この他、油を媒体とした油圧を用いた構成としてもよい。このような構成によっても、押圧ローラ５２を好適な状態で鉛直方向に移動（昇降）させることが可能となり、好適な押圧を実現することができる。
【００６８】
（３）インクジェット記録装置１は、圧縮空気源５６６から供給される空気の流量を調整する流量調整部を、配管５６４に設けた構成としてもよい。流量調整部としては、スピードコントローラと称される空圧機器が例示される。流量調整部は、例えば、空気圧レギュレータ５６０が接続された配管５６４に設けられる。この流量調整部は、圧縮空気源５６６から供給され、シリンダ５４２，５４４の各空気室５５２に供給（図３参照）されることとなる空気の流量を調整する。これによって、押圧ローラ５２の下降速度を調整することができる。空気圧レギュレータ５６０を、流量調整機能を含むタイプとしてもよい。この場合、配管５６４に、独立した流量調整部を設ける必要がない。
【００６９】
流量調整部は、上述した位置に加え、又は、この他の位置に接続されてもよい。例えば、流量調整部は、次に例示するような位置の全て又は何れかに設けられてもよい。流量調整部は、空気圧レギュレータ５６２が接続された配管５６４に設けてもよい。この場合、上記同様、空気圧レギュレータ５６２を、流量調整機能を含むタイプとしてもよい。このような位置に設けられた流量調整部は、圧縮空気源５６６から供給され、シリンダ５４２，５４４の各空気室５５０に供給（図４参照）されることとなる空気の流量を調整する。また、流量調整部は、空気圧レギュレータ５６２を介さず、電磁弁５５６及び圧縮空気源５６６を直接接続する配管５６４に設けられてもよい。このような位置に設けられた流量調整部は、圧縮空気源５６６から供給され、シリンダ５４２，５４４の各空気室５５０に供給（図２参照）されることとなる空気の流量を調整する。これによって、押圧ローラ５２の上昇速度を調整することができる。
【００７０】
上述したような流量調整部が設けられる場合、流量調整部で調整される空気量は、手動又は自動で設定される。自動で設定される場合について一例を示すと、ユーザは、インクジェット記録装置１に、布帛３の種類を入力する。制御部９０は、布帛３の種類と、流量調整部それぞれの空気量とが対応付けられたデータベースから、入力された布帛３の種類に従い、この布帛３に対応付けられた空気量を取得する。続けて、制御部９０は、取得された空気量を、対応する流量調整部に設定するための制御を実行する。空気圧レギュレータ５６０及び／又は空気圧レギュレータ５６２による空気圧の設定が自動で行われる場合、データベースは、布帛３の種類と、空気圧レギュレータ５６０，５６２それぞれの空気圧と、流量調整部それぞれの空気量とが対応付けられた構造としてもよい。
【００７１】
（４）上記では、押圧機構５０が、単一の押圧ローラ５２を含む構成を例に説明した。押圧機構５０は、外周表面の硬度が異なる複数の押圧ローラを含み、押圧に用いる押圧ローラを、適宜切り替えるようにしてもよい。これによれば、布帛３の種類に応じて、適切な硬度の押圧ローラに切り替え、布帛３をより好適に押圧することができる。また、押圧ローラ５２に関し、布帛３を粘着部４０に押圧することができる構成であればよく、ローラ形状以外の構成を有する押圧部としてもよい。カウンタローラ５８についても同様であり、押圧力を受けることが可能な、他の構成を有する受け部としてもよい。
【符号の説明】
【００７２】
１  インクジェット記録装置
３  布帛
２０  送出機構
２２  供給ローラ、  ２４  導入ローラ
２６  センタリングローラ  ２８  位置検知センサ
３０  搬送機構
３２  第一ベルトローラ、３４  第二ベルトローラ、  ３６  搬送ベルト
３８  搬送面、  ４０  粘着部
５０  押圧機構
５２  押圧ローラ、  ５４  押圧調整部
５４２，５４４  シリンダ、  ５５４，５５６，５５８  電磁弁
５６０，５６２  空気圧レギュレータ、  ５６４  配管、  ５６６  圧縮空気圧源
５８  カウンタローラ
６０  記録部
７０  剥離ローラ
８０  巻取機構
９０  制御部
【図１】
0005875788.tif 000002
【図２】
0005875788.tif 000003
【図３】
0005875788.tif 000004
【図４】
0005875788.tif 000005